(57)【要約】【課題】利用者の健康状態および利用者の現在位置や移動速度等をリアルタイムに把握でき、利用者の健康状態に応じた健康促進のためにとるべき行動をリアルタイムに利用者に指示できる、行動指示情報管理装置、携帯情報端末装置、行動指示情報管理システム、行動指示情報管理方法、行動指示方法、およびプログラムを提供することを課題とする。【解決手段】本発明は、携帯情報端末装置から送信された少なくとも位置情報を有する利用者情報に基づき利用者の周辺のマップ情報を作成し、携帯情報端末装置から送信された利用者の生体情報に基づきマップ情報と組み合わせて利用者の行動を予測し、利用者情報に基づき現在の利用者の行動を判別し、判別した上記利用者の行動と予測された行動予測情報との比較結果が異なる場合、行動予測情報に基づき行動指示情報を携帯情報端末装置に送信すること特徴とする。【選択図】図２
2009093322.tif 000002
【特許請求の範囲】
【請求項１】
利用者が携帯可能な携帯情報端末装置と有線または無線を介して通信可能に接続された、記憶部と制御部とを少なくとも備えた行動指示情報管理装置であって、
上記制御部は、
上記携帯情報端末装置から送信された少なくとも位置情報を有する利用者情報に基づき上記利用者の周辺のマップ情報を作成し、作成された上記マップ情報を上記記憶部に格納する周辺マップ作成手段と、
上記携帯情報端末装置から送信された上記利用者の生体情報に基づき上記マップ情報と組み合わせて上記利用者の行動を予測し、予測された行動予測情報を上記記憶部に格納する行動予測手段と、
上記利用者情報に基づき現在の上記利用者の行動を判別し、判別した上記利用者の行動と上記行動予測手段によって予測された上記行動予測情報との比較結果が異なる場合、上記行動予測情報に基づき上記行動指示情報を上記携帯情報端末装置に送信する行動指示情報伝達手段と、
を備えたことを特徴とする行動指示情報管理装置。
【請求項２】
請求項１に記載の行動指示情報管理装置において、
上記行動指示情報伝達手段は、
上記行動予測手段によって予測された上記行動予測情報が上記利用者の行動と異なる場合、利用者毎に個別に設定される行動予測パラメータの重み付けを学習し、上記記憶部に格納するパラメータ学習手段
をさらに備えたことを特徴とする行動指示情報管理装置。
【請求項３】
請求項１に記載の行動指示情報管理装置において、
上記利用者情報は、３軸加速度データ、または、３次元座標データを含むことを特徴する行動指示情報管理装置。
【請求項４】
請求項１に記載の行動指示情報管理装置において、
上記マップ情報は、上記利用者の現在位置とともに、当該利用者の周辺に存在する階段、エスカレーター、およびエレベーターのうちの少なくとも１つを表示することを特徴とする行動指示情報管理装置。
【請求項５】
請求項１に記載の行動指示情報管理装置において、
上記生体情報は、乳酸値、体重、体重または体脂肪の変化率、および脈拍データのうちの少なくとも１つを含むことを特徴とする行動指示情報管理装置。
【請求項６】
請求項１に記載の行動指示情報管理装置において、
上記行動予測情報は、上記利用者が階段、エスカレーター、およびエレベーターのうちいずれか１つを選択するか予測する情報を含むことを特徴とする行動指示情報管理装置。
【請求項７】
請求項１に記載の行動指示情報管理装置において、
上記行動指示情報は、上記マップ情報を表示し、上記行動予測手段によって予測された行動予測情報に基づいて、上記利用者に対し、階段、エスカレーター、およびエレベーターのうちいずれか１つを使用するよう指示する情報を含むことを特徴とする行動指示情報管理装置。
【請求項８】
請求項２に記載の行動指示情報管理装置において、
上記行動予測パラメータは、上記利用者毎に個別に設定される、過去に蓄積された行動パターン、疲労度、乳酸値、体重または体脂肪の変化率、緊急度、および歩行速度に関するパラメータのうちの少なくとも１つを含むことを特徴とする行動指示情報管理装置。
【請求項９】
利用者に行動予測情報を提供する行動予測情報管理装置と有線または無線を介して通信可能に接続された、利用者情報測定部と生体情報測定部と入力部と表示部と音声出力部と記憶部と制御部とを少なくとも備えた携帯情報端末装置であって、
上記制御部は、
上記利用者情報測定部を制御して上記利用者の少なくとも位置情報を有する利用者情報を収集して上記記憶部に格納し、行動指示情報管理装置に送信する利用者情報伝達手段と、
上記生体情報測定部を制御して上記利用者の生体情報を収集する、および／または、上記利用者の操作により上記入力部を介して入力された上記生体情報を収集して上記記憶部に格納し、上記行動指示情報管理装置に送信する生体情報伝達手段と、
上記行動指示情報管理装置から送信された行動予測情報に基づいた行動指示情報に従って当該行動指示情報の内容を上記行動指示情報管理装置にて作成されたマップ情報とともに、上記表示部に表示して伝達する、および／または、上記音声出力部を介して音声によって伝達することにより、上記利用者に対し行動を指示する行動指示手段と、
を備えたことを特徴とする携帯情報端末装置。
【請求項１０】
請求項９に記載の携帯情報端末装置において、
上記利用者情報測定部は、３軸加速度センサ、または、グローバル・ポジショニング・システム（ＧＰＳ）システムであることを特徴とする携帯情報端末装置。
【請求項１１】
請求項９に記載の携帯情報端末装置において、
上記生体情報測定部は、脈拍センサ、万歩計（登録商標）、体温計、血圧計、乳酸値測定計、体重計、および体脂肪測定計のうちの少なくとも１つであることを特徴とする携帯情報端末装置。
【請求項１２】
利用者情報測定部と生体情報測定部と入力部と表示部と音声出力部と記憶部と制御部とを少なくとも備えた携帯情報端末装置と、記憶部と制御部とを少なくとも備えた行動指示情報管理装置と、を有線または無線を介して通信可能に接続された行動指示情報管理システムであって、
上記行動指示情報管理装置の上記制御部は、
上記携帯情報端末装置から送信された少なくとも位置情報を有する利用者情報に基づき利用者の周辺のマップ情報を作成し、作成された上記マップ情報を上記記憶部に格納する周辺マップ作成手段と、
上記携帯情報端末装置から送信された上記利用者の生体情報に基づき上記マップ情報と組み合わせて上記利用者の行動を予測し、予測された行動予測情報を上記記憶部に格納する行動予測手段と、
上記利用者情報に基づき現在の上記利用者の行動を判別し、判別した上記利用者の行動と上記行動予測手段によって予測された上記行動予測情報との比較結果が異なる場合、上記行動予測情報に基づき上記行動指示情報を上記携帯情報端末装置に送信する行動指示情報伝達手段と、
を備え、
上記携帯情報端末装置の上記制御部は、
上記利用者情報測定部を制御して上記利用者の上記利用者情報を収集して上記記憶部に格納し、行動指示情報管理装置に送信する利用者情報伝達手段と、
上記生体情報測定部を制御して上記利用者の上記生体情報を収集する、および／または、上記利用者の操作により上記入力部を介して入力された上記生体情報を収集して上記記憶部に格納し、上記行動指示情報管理装置に送信する生体情報伝達手段と、
上記行動指示情報管理装置から送信された上記行動予測情報に基づいた上記行動指示情報に従って当該行動指示情報の内容を上記行動指示情報管理装置にて作成されたマップ情報とともに、上記表示部に表示して伝達する、および／または、上記音声出力部を介して音声によって伝達することにより、上記利用者に対し行動を指示する行動指示手段と、
を備えたことを特徴とする行動指示情報管理システム。
【請求項１３】
利用者が携帯可能な携帯情報端末装置と有線または無線を介して通信可能に接続された、記憶部と制御部とを少なくとも備えた行動指示情報管理装置において実行される行動指示情報管理方法であって、
上記制御部において実行される、
上記携帯情報端末装置から送信された少なくとも位置情報を有する利用者情報に基づき上記利用者の周辺のマップ情報を作成し、作成された上記マップ情報を上記記憶部に格納する周辺マップ作成ステップと、
上記携帯情報端末装置から送信された上記利用者の生体情報に基づき上記マップ情報と組み合わせて上記利用者の行動を予測し、予測された行動予測情報を上記記憶部に格納する行動予測ステップと、
上記利用者情報に基づき現在の上記利用者の行動を判別し、判別した上記利用者の行動と上記行動予測ステップにて予測された上記行動予測情報との比較結果が異なる場合、上記行動予測情報に基づき上記行動を上記携帯情報端末装置に送信する行動指示情報伝達ステップと、
を含むことを特徴とする行動指示情報管理方法。
【請求項１４】
利用者に行動予測情報を提供する行動予測情報管理装置と有線または無線を介して通信可能に接続された、利用者情報測定部と生体情報測定部と入力部と表示部と音声出力部と記憶部と制御部とを少なくとも備えた携帯情報端末装置において実行される行動指示方法であって、
上記制御部において実行される、
上記利用者情報測定部を制御して上記利用者の少なくとも位置情報を有する利用者情報を収集して上記記憶部に格納し、行動指示情報管理装置に送信する利用者情報伝達ステップと、
上記生体情報測定部を制御して上記利用者の生体情報を収集する、および／または、上記利用者の操作により上記入力部を介して入力された上記生体情報を収集して上記記憶部に格納し、上記行動指示情報管理装置に送信する生体情報伝達ステップと、
上記行動指示情報管理装置から送信された行動予測情報に基づいた行動指示情報に従って当該行動指示情報の内容を上記行動指示情報管理装置にて作成されたマップ情報とともに、上記表示部に表示して伝達する、および／または、上記音声出力部を介して音声によって伝達することにより、上記利用者に対し行動を指示する行動指示ステップと、
を含むことを特徴とする行動指示方法。
【請求項１５】
利用者が携帯可能な携帯情報端末装置と有線または無線を介して通信可能に接続された、記憶部と制御部とを少なくとも備えた行動指示情報管理装置に実行させるためのプログラムであって、
上記制御部において実行される、
上記携帯情報端末装置から送信された少なくとも位置情報を有する利用者情報に基づき上記利用者の周辺のマップ情報を作成し、作成された上記マップ情報を上記記憶部に格納する周辺マップ作成ステップと、
上記携帯情報端末装置から送信された上記利用者の生体情報に基づき上記マップ情報と組み合わせて上記利用者の行動を予測し、予測された行動予測情報を上記記憶部に格納する行動予測ステップと、
上記利用者情報に基づき現在の上記利用者の行動を判別し、判別した上記利用者の行動と上記行動予測ステップにて予測された上記行動予測情報との比較結果が異なる場合、上記行動予測情報に基づき上記行動指示情報を上記携帯情報端末装置に送信する行動指示情報伝達ステップと、
を含むことを特徴とするプログラム。
【請求項１６】
利用者に行動予測情報を提供する行動予測情報管理装置と有線または無線を介して通信可能に接続された、利用者情報測定部と生体情報測定部と入力部と表示部と音声出力部と記憶部と制御部とを少なくとも備えた携帯情報端末装置に実行させるためのプログラムであって、
上記制御部において実行される、
上記利用者情報測定部を制御して上記利用者の少なくとも位置情報有する利用者情報を収集して上記記憶部に格納し、行動指示情報管理装置に送信する利用者情報伝達ステップと、
上記生体情報測定部を制御して上記利用者の生体情報を収集する、および／または、上記利用者の操作により上記入力部を介して入力された上記生体情報を収集して上記記憶部に格納し、上記行動指示情報管理装置に送信する生体情報伝達ステップと、
上記行動指示情報管理装置から送信された行動予測情報に基づいた行動指示情報に従って当該行動指示情報の内容を上記行動指示情報管理装置にて作成されたマップ情報とともに、上記表示部に表示して伝達する、および／または、上記音声出力部を介して音声によって伝達することにより、上記利用者に対し行動を指示する行動指示ステップと、
を含むことを特徴とするプログラム。
【発明の詳細な説明】
【技術分野】
【０００１】
本発明は、行動指示情報管理装置、携帯情報端末装置、行動指示情報管理システム、行動指示情報管理方法、行動指示方法、およびプログラムに関するものである。
【背景技術】
【０００２】
従来の技術として、（特許文献１）の健康管理支援システムは、血圧計や体重計等から測定した測定データを携帯電話等の携帯情報端末を介して医療機関等のサーバ装置に容易に送信し、その測定データに応じて医療機関等から健康に関するアドバイスを受けることを可能にし、利用者の健康状態を把握することはできるようにしたものである。
【０００３】
また、（特許文献２）の統合健康情報管理システムは、万歩計（登録商標）およびＧＰＳ機能付携帯情報端末（例えば、携帯電話等）を介して歩行量や歩行距離から運動量の把握を容易にし、飲食店または食料販売店等のレジスターの記憶装置に保管された食料品の栄養素量を購入時に利用者の小型記憶媒体に記憶することで飲食量の把握を容易にし、そして、カロリーの摂取量と消費量のバランスを保つために、利用者に対し次にとるべき適切な食事量と運動量を記載した電話メールを利用者の携帯電話等に送信するものである。
【特許文献１】特開２００３−２４５２５４号公報
【特許文献２】特開２００２−２４４０４号公報
【発明の開示】
【発明が解決しようとする課題】
【０００４】
しかしながら、従来の携帯情報端末を用いた健康管理サービスにおいては、利用者の健康を促進するために利用者の健康状態に応じた利用者がとるべき行動をリアルタイムに指示することができないという問題点を有している。
【０００５】
特に、（特許文献１）の健康管理支援システムでは、利用者の健康状態を把握してはいるものの、利用者の現在位置や移動速度等を把握することができないという問題点を有している。
【０００６】
また特に、（特許文献２）の統合健康情報管理システムでは、カロリー摂取量と消費量のみに注目しており、利用者の携帯電話に内蔵されたＧＰＳ機能等により運動量を把握してはいるものの、利用者の健康状態を表す血圧や疲労度等を把握できないという問題点を有している。
【０００７】
本発明は、上記に鑑みてなされたものである。本発明において、装置の操作を容易にし、装置の小型化およびコストダウンを実現でき、利用者の健康状態および利用者の現在位置や移動速度等をリアルタイムに把握でき、利用者の健康状態に応じた健康促進のためにとるべき行動をリアルタイムに利用者に指示できる、行動指示情報管理装置、携帯情報端末装置、行動指示情報管理システム、行動指示情報管理方法、行動指示方法、およびプログラムを提供することを目的とする。
【課題を解決するための手段】
【０００８】
また、上述した課題を解決し、上述した目的を達成するために、本発明は、行動指示情報管理装置と携帯情報端末装置とから構成される行動指示情報管理システムであって、行動指示情報管理装置は、携帯情報端末装置から送信された少なくとも位置情報を有する利用者情報に基づき利用者の周辺のマップ情報を作成する周辺マップ作成手段と、携帯情報端末装置から送信された利用者の生体情報に基づきマップ情報と組み合わせて利用者の行動を予測する行動予測手段と、利用者情報に基づき現在の利用者の行動を判別し、判別した利用者の行動と行動予測手段によって予測された行動予測情報との比較結果が異なる場合、行動予測情報に基づき行動指示情報を携帯情報端末装置に送信する行動指示情報伝達手段と、を備え、携帯情報端末装置は、利用者情報測定部を制御して利用者の少なくとも位置情報を有する利用者情報を収集して、行動指示情報管理装置に送信する利用者情報伝達手段と、生体情報測定部を制御して利用者の生体情報を収集する、および／または、利用者の操作により入力部を介して入力された生体情報を収集して、行動指示情報管理装置に送信する生体情報伝達手段と、行動指示情報管理装置から送信された行動予測情報に基づいた行動指示情報に従って当該行動指示情報の内容を行動指示情報管理装置にて作成されたマップ情報とともに、表示部に表示して伝達する、および／または、音声出力部を介して音声によって伝達することにより、利用者に対し行動を指示する行動指示手段と、を備えたものである。
【発明の効果】
【０００９】
本発明によれば、装置の操作を容易にし、装置の小型化およびコストダウンを実現でき、利用者の健康状態および利用者の現在位置や移動速度等をリアルタイムに把握でき、利用者の健康状態に応じた健康促進のためにとるべき行動をリアルタイムに利用者に指示できる、行動指示情報管理装置、携帯情報端末装置、行動指示情報管理システム、行動指示情報管理方法、行動指示方法、およびプログラムが得られる。
【発明を実施するための最良の形態】
【００１０】
第１の発明の行動指示情報管理装置は、利用者が携帯可能な携帯情報端末装置と有線または無線を介して通信可能に接続された、記憶部と制御部とを少なくとも備えた行動指示情報管理装置であって、上記制御部は、上記携帯情報端末装置から送信された少なくとも位置情報を有する利用者情報に基づき上記利用者の周辺のマップ情報を作成し、作成された上記マップ情報を上記記憶部に格納する周辺マップ作成手段と、上記携帯情報端末装置から送信された上記利用者の生体情報に基づき上記マップ情報と組み合わせて上記利用者の行動を予測し、予測された行動予測情報を上記記憶部に格納する行動予測手段と、上記利用者情報に基づき現在の上記利用者の行動を判別し、判別した上記利用者の行動と上記行動予測手段によって予測された上記行動予測情報との比較結果が異なる場合、上記行動予測情報に基づき上記行動指示情報を上記携帯情報端末装置に送信する行動指示情報伝達手段と、を備えたことを特徴とする。
【００１１】
本発明によれば、携帯情報端末装置から送信された少なくとも位置情報を有する利用者情報に基づき利用者の周辺のマップ情報を作成し、携帯情報端末装置から送信された利用者の生体情報に基づきマップ情報と組み合わせて利用者の行動を予測し、利用者情報に基づき現在の利用者の行動を判別し、判別した利用者の行動と予測された行動予測情報との比較結果が異なる場合、行動予測情報に基づき行動指示情報を携帯情報端末装置に送信するという作用を有する。
【００１２】
第２の発明の行動指示情報管理装置は、上記第１の発明の行動指示情報管理装置において、上記行動指示情報伝達手段は、上記行動予測手段によって予測された上記行動予測情報が上記利用者の行動と異なる場合、利用者毎に個別に設定される行動予測パラメータの重み付けを学習し、上記記憶部に格納するパラメータ学習手段をさらに備えたことを特徴とする。
【００１３】
本発明によれば、行動指示情報の伝達において、予測された行動予測情報が利用者の行動と異なる場合、利用者毎に個別に設定される行動予測パラメータの重み付けを学習するという作用を有する。
【００１４】
第３の発明の行動指示情報管理装置は、上記第１の発明の行動指示情報管理装置において、上記利用者情報は、３軸加速度データ、または、３次元座標データを含むことを特徴する。
【００１５】
本発明によれば、利用者情報は、３軸加速度データ、または、３次元座標データを示すという作用を有する。
【００１６】
第４の発明の行動指示情報管理装置は、上記第１の発明の行動指示情報管理装置において、上記マップ情報は、上記利用者の現在位置とともに、当該利用者の周辺に存在する階段、エスカレーター、およびエレベーターのうちの少なくとも１つを表示することを特徴とする。
【００１７】
本発明によれば、マップ情報は、利用者の現在位置とともに、当該利用者の周辺に存在する階段、エスカレーター、およびエレベーターのうちの少なくとも１つを表示するという作用を有する。
【００１８】
第５の発明の行動指示情報管理装置は、上記第１の発明の行動指示情報管理装置において、上記生体情報は、乳酸値、体重、体重または体脂肪の変化率、および脈拍データのうちの少なくとも１つを含むことを特徴とする。
【００１９】
本発明によれば、生体情報は、乳酸値、体重、体重または体脂肪の変化率、および脈拍データのうちの少なくとも１つを示すという作用を有する。
【００２０】
第６の発明の行動指示情報管理装置は、上記第１の発明の行動指示情報管理装置において、上記行動予測情報は、上記利用者が階段、エスカレーター、およびエレベーターのうちいずれか１つを選択するか予測する情報を含むことを特徴とする。
【００２１】
本発明によれば、行動予測情報は、利用者が階段、エスカレーター、およびエレベーターのうちいずれか１つを選択するか予測するという作用を有する。
【００２２】
第７の発明の行動指示情報管理装置は、上記第１の発明の行動指示情報管理装置において、上記行動指示情報は、上記マップ情報を表示し、上記行動予測手段によって予測された行動予測情報に基づいて、上記利用者に対し、階段、エスカレーター、およびエレベーターのうちいずれか１つを使用するよう指示する情報を含むことを特徴とする。
【００２３】
本発明によれば、行動指示情報は、マップ情報を表示し、予測された行動予測情報に基づいて、利用者に対し、階段、エスカレーター、およびエレベーターのうちいずれか１つを使用するよう指示するという作用を有する。
【００２４】
第８の発明の行動指示情報管理装置は、上記第２の発明の行動指示情報管理装置において、上記行動予測パラメータは、上記利用者毎に個別に設定される、過去に蓄積された行動パターン、疲労度、乳酸値、体重または体脂肪の変化率、緊急度、および歩行速度に関するパラメータのうちの少なくとも１つを含むことを特徴とする。
【００２５】
本発明によれば、行動予測パラメータは、利用者毎に個別に設定される、過去に蓄積された行動パターン、疲労度、乳酸値、体重または体脂肪の変化率、緊急度、および歩行速度に関するパラメータのうちの少なくとも１つを示すという作用を有する。
【００２６】
第９の発明の携帯情報端末装置は、利用者に行動予測情報を提供する行動予測情報管理装置と有線または無線を介して通信可能に接続された、利用者情報測定部と生体情報測定部と入力部と表示部と音声出力部と記憶部と制御部とを少なくとも備えた携帯情報端末装置であって、上記制御部は、上記利用者情報測定部を制御して上記利用者の少なくとも位置情報を有する利用者情報を収集して上記記憶部に格納し、行動指示情報管理装置に送信する利用者情報伝達手段と、上記生体情報測定部を制御して上記利用者の生体情報を収集する、および／または、上記利用者の操作により上記入力部を介して入力された上記生体情報を収集して上記記憶部に格納し、上記行動指示情報管理装置に送信する生体情報伝達手段と、上記行動指示情報管理装置から送信された行動予測情報に基づいた行動指示情報に従って当該行動指示情報の内容を上記行動指示情報管理装置にて作成されたマップ情報とともに、上記表示部に表示して伝達する、および／または、上記音声出力部を介して音声によって伝達することにより、上記利用者に対し行動を指示する行動指示手段と、を備えたことを特徴とする。
【００２７】
本発明によれば、利用者情報測定部を制御して利用者の少なくとも位置情報を有する利用者情報を収集して行動指示情報管理装置に送信し、生体情報測定部を制御して利用者の生体情報を収集する、および／または、利用者の操作により入力部を介して入力された生体情報を収集して行動指示情報管理装置に送信し、行動指示情報管理装置から送信された行動予測情報に基づいた行動指示情報に従って当該行動指示情報の内容を行動指示情報管理装置にて作成されたマップ情報とともに、表示部に表示して伝達する、および／または、音声出力部を介して音声によって伝達することにより、利用者に対し行動を指示するという作用を有する。
【００２８】
第１０の発明の携帯情報端末装置は、上記第９の発明の携帯情報端末装置において、上記利用者情報測定部は、３軸加速度センサ、または、グローバル・ポジショニング・システム（ＧＰＳ）システムであることを特徴とする。
【００２９】
本発明によれば、利用者情報測定部は、３軸加速度センサ、または、グローバル・ポジショニング・システム（ＧＰＳ）システムとして機能するという作用を有する。
【００３０】
第１１の発明の携帯情報端末装置は、上記第９の発明の携帯情報端末装置において、上記生体情報測定部は、脈拍センサ、万歩計（登録商標）、体温計、血圧計、乳酸値測定計、体重計、および体脂肪測定計のうちの少なくとも１つであることを特徴とする。
【００３１】
本発明によれば、生体情報測定部は、脈拍センサ、万歩計（登録商標）、体温計、血圧計、乳酸値測定計、体重計、および体脂肪測定計のうちの少なくとも１つとして機能するという作用を有する。
【００３２】
第１２の発明の行動指示情報管理システムは、利用者情報測定部と生体情報測定部と入力部と表示部と音声出力部と記憶部と制御部とを少なくとも備えた携帯情報端末装置と、記憶部と制御部とを少なくとも備えた行動指示情報管理装置と、を有線または無線を介して通信可能に接続された行動指示情報管理システムであって、上記行動指示情報管理装置の上記制御部は、上記携帯情報端末装置から送信された少なくとも位置情報を有する利用者情報に基づき利用者の周辺のマップ情報を作成し、作成された上記マップ情報を上記記憶部に格納する周辺マップ作成手段と、上記携帯情報端末装置から送信された上記利用者の生体情報に基づき上記マップ情報と組み合わせて上記利用者の行動を予測し、予測された行動予測情報を上記記憶部に格納する行動予測手段と、上記利用者情報に基づき現在の上記利用者の行動を判別し、判別した上記利用者の行動と上記行動予測手段によって予測された上記行動予測情報との比較結果が異なる場合、上記行動予測情報に基づき上記行動指示情報を上記携帯情報端末装置に送信する行動指示情報伝達手段と、を備え、上記携帯情報端末装置の上記制御部は、上記利用者情報測定部を制御して上記利用者の上記利用者情報を収集して上記記憶部に格納し、行動指示情報管理装置に送信する利用者情報伝達手段と、上記生体情報測定部を制御して上記利用者の上記生体情報を収集する、および／または、上記利用者の操作により上記入力部を介して入力された上記生体情報を収集して上記記憶部に格納し、上記行動指示情報管理装置に送信する生体情報伝達手段と、上記行動指示情報管理装置から送信された上記行動予測情報に基づいた上記行動指示情報に従って当該行動指示情報の内容を上記行動指示情報管理装置にて作成されたマップ情報とともに、上記表示部に表示して伝達する、および／または、上記音声出力部を介して音声によって伝達することにより、上記利用者に対し行動を指示する行動指示手段と、を備えたことを特徴とする。
【００３３】
本発明によれば、行動指示情報管理装置において、携帯情報端末装置から送信された少なくとも位置情報を有する利用者情報に基づき利用者の周辺のマップ情報を作成し、携帯情報端末装置から送信された利用者の生体情報に基づきマップ情報と組み合わせて利用者の行動を予測し、利用者情報に基づき現在の利用者の行動を判別し、判別した利用者の行動と予測された行動予測情報との比較結果が異なる場合、行動予測情報に基づき行動指示情報を携帯情報端末装置に送信し、携帯情報端末装置において、利用者情報測定部を制御して利用者の少なくとも位置情報を有する利用者情報を収集して行動指示情報管理装置に送信し、生体情報測定部を制御して利用者の生体情報を収集する、および／または、利用者の操作により入力部を介して入力された生体情報を収集して行動指示情報管理装置に送信し、行動指示情報管理装置から送信された行動予測情報に基づいた行動指示情報に従って当該行動指示情報の内容を行動指示情報管理装置にて作成されたマップ情報とともに、表示部に表示して伝達する、および／または、音声出力部を介して音声によって伝達することにより、利用者に対し行動を指示するという作用を有する。
【００３４】
第１３の発明の行動指示情報管理方法は、利用者が携帯可能な携帯情報端末装置と有線または無線を介して通信可能に接続された、記憶部と制御部とを少なくとも備えた行動指示情報管理装置において実行される行動指示情報管理方法であって、上記制御部において実行される、上記携帯情報端末装置から送信された少なくとも利用者情報を有する利用者情報に基づき上記利用者の周辺のマップ情報を作成し、作成された上記マップ情報を上記記憶部に格納する周辺マップ作成ステップと、上記携帯情報端末装置から送信された上記利用者の生体情報に基づき上記マップ情報と組み合わせて上記利用者の行動を予測し、予測された行動予測情報を上記記憶部に格納する行動予測ステップと、上記利用者情報に基づき現在の上記利用者の行動を判別し、判別した上記利用者の行動と上記行動予測ステップにて予測された上記行動予測情報との比較結果が異なる場合、上記行動予測情報に基づき上記行動を上記携帯情報端末装置に送信する行動指示情報伝達ステップと、を含むことを特徴とする。
【００３５】
本発明によれば、携帯情報端末装置から送信された少なくとも位置情報を有する利用者情報に基づき利用者の周辺のマップ情報を作成し、携帯情報端末装置から送信された利用者の生体情報に基づきマップ情報と組み合わせて利用者の行動を予測し、利用者情報に基づき現在の利用者の行動とを判別し、判別した利用者の行動と予測された行動予測情報との比較結果が異なる場合、行動予測情報に基づき行動指示情報を携帯情報端末装置に送信するという作用を有する。
【００３６】
第１４の発明の行動指示方法は、利用者に行動予測情報を提供する行動予測情報管理装置と有線または無線を介して通信可能に接続された、利用者情報測定部と生体情報測定部と入力部と表示部と音声出力部と記憶部と制御部とを少なくとも備えた携帯情報端末装置において実行される行動指示方法であって、上記制御部において実行される、上記利用者情報測定部を制御して上記利用者の少なくとも位置情報を有する利用者情報を収集して上記記憶部に格納し、行動指示情報管理装置に送信する利用者情報伝達ステップと、上記生体情報測定部を制御して上記利用者の生体情報を収集する、および／または、上記利用者の操作により上記入力部を介して入力された上記生体情報を収集して上記記憶部に格納し、上記行動指示情報管理装置に送信する生体情報伝達ステップと、上記行動指示情報管理装置から送信された行動予測情報に基づいた行動指示情報に従って当該行動指示情報の内容を上記行動指示情報管理装置にて作成されたマップ情報とともに、上記表示部に表示して伝達する、および／または、上記音声出力部を介して音声によって伝達することにより、上記利用者に対し行動を指示する行動指示ステップと、を含むことを特徴とする。
【００３７】
本発明によれば、利用者情報測定部を制御して利用者の少なくとも位置情報を有する利用者情報を収集して行動指示情報管理装置に送信し、生体情報測定部を制御して利用者の生体情報を収集する、および／または、利用者の操作により入力部を介して入力された生体情報を収集して行動指示情報管理装置に送信し、行動指示情報管理装置から送信された行動予測情報に基づいた行動指示情報に従って当該行動指示情報の内容を行動指示情報管理装置にて作成されたマップ情報とともに、表示部に表示して伝達する、および／または、音声出力部を介して音声によって伝達することにより、利用者に対し行動を指示するという作用を有する。
【００３８】
第１５の発明のプログラムは、利用者が携帯可能な携帯情報端末装置と有線または無線を介して通信可能に接続された、記憶部と制御部とを少なくとも備えた行動指示情報管理装置に実行させるためのプログラムであって、上記制御部において実行される、上記携帯情報端末装置から送信された少なくとも位置情報を有する利用者情報に基づき上記利用者の周辺のマップ情報を作成し、作成された上記マップ情報を上記記憶部に格納する周辺マップ作成ステップと、上記携帯情報端末装置から送信された上記利用者の生体情報に基づき上記マップ情報と組み合わせて上記利用者の行動を予測し、予測された行動予測情報を上記記憶部に格納する行動予測ステップと、上記利用者情報に基づき現在の上記利用者の行動を判別し、判別した上記利用者の行動と上記行動予測ステップにて予測された上記行動予測情報との比較結果が異なる場合、上記行動予測情報に基づき上記行動を上記携帯情報端末装置に送信する行動指示情報伝達ステップと、を含むことを特徴とする。
【００３９】
本発明によれば、携帯情報端末装置から送信された少なくとも位置情報を有する利用者情報に基づき利用者の周辺のマップ情報を作成し、携帯情報端末装置から送信された利用者の生体情報に基づきマップ情報と組み合わせて利用者の行動を予測し、利用者情報に基づき現在の利用者の行動を判別し、判別した利用者の行動と予測された行動予測情報との比較結果が異なる場合、行動予測情報に基づき行動指示情報を携帯情報端末装置に送信するという作用を有する。
【００４０】
第１６の発明のプログラムは、利用者に行動予測情報を提供する行動予測情報管理装置と有線または無線を介して通信可能に接続された、利用者情報測定部と生体情報測定部と入力部と表示部と音声出力部と記憶部と制御部とを少なくとも備えた携帯情報端末装置に実行させるためのプログラムであって、上記制御部において実行される、上記利用者情報測定部を制御して上記利用者の少なくとも位置情報を有する利用者情報を収集して上記記憶部に格納し、行動指示情報管理装置に送信する利用者情報伝達ステップと、上記生体情報測定部を制御して上記利用者の生体情報を収集する、および／または、上記利用者の操作により上記入力部を介して入力された上記生体情報を収集して上記記憶部に格納し、上記行動指示情報管理装置に送信する生体情報伝達ステップと、上記行動指示情報管理装置から送信された行動予測情報に基づいた行動指示情報に従って当該行動指示情報の内容を上記行動指示情報管理装置にて作成されたマップ情報とともに、上記表示部に表示して伝達する、および／または、上記音声出力部を介して音声によって伝達することにより、上記利用者に対し行動を指示する行動指示ステップと、を含むことを特徴とする。
【００４１】
本発明によれば、利用者情報測定部を制御して利用者の少なくとも位置情報を有する利用者情報を収集して行動指示情報管理装置に送信し、生体情報測定部を制御して利用者の生体情報を収集する、および／または、利用者の操作により入力部を介して入力された生体情報を収集して行動指示情報管理装置に送信し、行動指示情報管理装置から送信された行動予測情報に基づいた行動指示情報に従って当該行動指示情報の内容を行動指示情報管理装置にて作成されたマップ情報とともに、表示部に表示して伝達する、および／または、音声出力部を介して音声によって伝達することにより、利用者に対し行動を指示するという作用を有する。
【００４２】
以下に、本発明に係る行動指示情報管理装置、携帯情報端末装置、行動指示情報管理システム、行動指示情報管理方法、行動指示方法、およびプログラムの実施の形態を図面に基づいて詳細に説明する。なお、本実施の形態により本発明が限定されるものではない。
［本発明の概要］
以下、本発明の概要について説明し、その後、本発明の構成および処理等について詳細に説明する。
【００４３】
本発明は、概略的に、以下の基本特徴を有する。すなわち、本発明の行動指示情報管理装置は、利用者が携帯可能な携帯情報端末装置と有線または無線を介して通信可能に接続され、記憶部と制御部とを少なくとも備えて構成される。
【００４４】
まず、本発明は、携帯情報端末装置から送信された少なくとも位置情報を有する利用者情報に基づき利用者の周辺のマップ情報を作成する。
【００４５】
ここで、「利用者情報」とは、位置、速度、加速度等であり、例えば、３軸加速度データ、または、３次元座標データであってもよい。
【００４６】
ここで、「マップ情報」とは、利用者周辺の地図等であり、例えば、利用者の現在位置とともに、当該利用者の周辺に存在する階段、エスカレーター、およびエレベーターのうちの少なくとも１つを表示するものであってもよい。
【００４７】
次に、本発明は、携帯情報端末装置から送信された利用者の生体情報に基づきマップ情報と組み合わせて利用者の行動を予測した行動予測情報を作成する。
【００４８】
ここで、「生体情報」とは、例えば、乳酸値、体重、体重または体脂肪の変化率、および脈拍データのうちの少なくとも１つを示すものであってもよい。
【００４９】
ここで、［行動予測情報］とは、例えば、上記利用者が階段、エスカレーター、およびエレベーターのうちいずれか１つを選択するか予測するものであってもよい。
【００５０】
そして、本発明は、利用者情報に基づき現在の利用者の行動を判別し、判別した利用者の行動と予測された行動予測情報との比較結果が異なる場合、行動予測情報に基づき行動指示情報を携帯情報端末装置に送信する。
【００５１】
ここで、行動指示情報は、マップ情報を表示し、予測された行動予測情報に基づいて、利用者に対し、階段、エスカレーター、およびエレベーターのうちいずれか１つを使用するよう指示するものである。
【００５２】
またここで、本発明は、行動指示情報の伝達において、予測された行動予測情報が現在の利用者の行動と異なる場合、利用者毎に個別に設定される行動予測パラメータの重み付けを学習する。
【００５３】
ここで、「行動予測パラメータ」とは、例えば、利用者毎に個別に設定される、過去に蓄積された行動パターン、疲労度、乳酸値、体重または体脂肪の変化率、緊急度、および歩行速度に関するパラメータのうちの少なくとも１つを示すものであってもよい。以上で、本発明の概要の説明を終える。
［１．行動指示情報管理システム構成］
まず、本行動指示情報管理システムの構成について、図１、図３および図４、図７〜図９を参照して説明する。図１は、本発明が適用される本行動指示情報管理システム構成の一例を示すブロック図であり、該構成のうち本発明に関係する部分のみを概念的に示している。図１において、符号１００は、行動指示情報管理装置であり、符号１０２は、制御部であり、符号１０２ａは、周辺マップ作成部であり、符号１０２ｂは、行動予測部であり、符号１０２ｃは、行動指示情報伝達部であり、符号１０２ｄは、パラメータ学習部であり、符号１０４は、通信制御インターフェース部であり、符号１０６は、記憶部であり、符号１０６ａは、マップ情報データベースであり、符号１０６ｂは、行動予測情報データベースである。また、符号２００は、携帯情報端末装置であり、符号２０２は、制御部であり、符号２０２ａは、利用者情報伝達部であり、符号２０２ｂは、生体情報伝達部であり、符号２０２ｃは、行動指示部であり、符号２０４は、通信制御インターフェース部であり、符号２０６は、記憶部であり、符号２０６ａは、利用者情報データベースであり、符号２０６ｂは、生体情報データベースであり、符号２０８は、入出力制御インターフェース部であり、符号２１０は、利用者情報測定部であり、符号２１１は、生体情報測定部であり、符号２１２は、入力部であり、符号２１３は、表示部であり、符号２１４は、音声出力部であり、符号３００は、ネットワークである。
【００５４】
なお、本システムは、概略的に行動指示情報管理装置１００と、利用者情報測定部２１０と生体情報測定部２１１とを備える携帯情報端末装置２００とを、有線または無線のネットワーク３００を介して通信可能に接続して構成されている。まず行動指示情報管理装置１００の構成について説明し、次に携帯情報端末装置２００の構成について説明する。
［１−１．行動指示情報管理装置１００の構成］
図１において行動指示情報管理装置１００は、概略的に、行動指示情報管理装置１００の全体を統括的に制御するＣＰＵ等の制御部１０２、通信回線等に接続されるルータ等の通信装置（図示せず）に接続される通信制御インターフェース部１０４、および、各種のデータベースやテーブルなどを格納する記憶部１０６を備えて構成されており、これら各部は任意の通信路を介して通信可能に接続されている。さらに、この行動指示情報管理装置１００は、ルータ等の通信装置および専用線等の有線または無線の通信回線を介して、ネットワーク３００に通信可能に接続されている。
【００５５】
図１において、ネットワーク３００は、行動指示情報管理装置１００と携帯情報端末装置２００とを相互に接続する機能を有し、例えば、有線または無線のインターネット、イントラネット、および電話通信網等である。
【００５６】
記憶部１０６に格納される各種のデータベースやテーブル（マップ情報データベース１０６ａおよび行動予測情報データベース１０６ｂ）は、固定ディスク装置等のストレージ手段であり、各種処理に用いる各種のプログラムやテーブルやファイルやデータベース等を格納する。
【００５７】
これら記憶部１０６の各構成要素のうち、マップ情報データベース１０６ａは、携帯情報端末装置２００から送信された少なくとも位置情報を有する利用者情報に基づき作成された利用者の周辺のマップ情報を記憶するマップ情報記憶手段である。図３および図４は、マップ情報データベース１０６ａに格納されるマップ情報の一例を示す図である。このマップ情報データベース１０６ａに格納される情報は、図３および図４に示すように、利用者の現在位置とともに、当該利用者の周辺に存在する階段、エスカレーター、およびエレベーターのうちの少なくとも１つを表示している。
【００５８】
また、行動予測情報データベース１０６ｂは、携帯情報端末装置２００から送信された利用者の生体情報に基づきマップ情報と組み合わせて利用者の行動を予測した行動予測情報を記憶する行動予測情報記憶手段である。図７および図８は、行動予測情報データベース１０６ｂに格納される行動予測情報の一例を示す図である。
【００５９】
また、行動予測情報データベース１０６ｂに格納される情報は、図７および図８に示す一例においては、利用者が階段、エスカレーター、およびエレベーターのうちいずれか１つを選択するか予測している。具体的には、利用者の生体情報（例えば、乳酸値、体重、体重または体脂肪の変化率、および脈拍データ等）に基づいて行動予測パラメータを設け、利用者の状況に応じた個別の設定ができるよう各パラメータに重み付けをしておき、携帯情報端末装置２００より送信された利用者の現在の利用者情報および生体情報に基づいて、２値テーブルにて＋１か−１かを判断し点数をつけ、この点数の合計点数によって行動を予測する。ここで、予測された行動予測情報が現在の利用者の行動と異なる場合、利用者毎に個別に設定される行動予測パラメータの重み付けを学習して、行動予測情報データベース１０６ｂ内の行動予測パラメータの重み付けを変更してもよい。ここで、図７の場合は、合計点数がプラスの値であったため、現在の健康状態は良好と判断し、利用者は階段を使用すると予測している。一方、図８の場合は、合計点数がマイナスの値であったため、現在の健康状態が良好でないと判断し、利用者はエレベーターを使用すると予測している。
【００６０】
図１に戻り、通信制御インターフェース部１０４は、行動指示情報管理装置１００とネットワーク３００（またはルータ等の通信装置）との間における通信制御を行う。すなわち、通信制御インターフェース部１０４は、他の端末と通信回線を介してデータを通信する機能を有する。
【００６１】
また、図１において、入出力制御インターフェース（図示せず）は、入力部（図示せず）や出力部（図示せず）の制御を行ってもよい。ここで、出力部としては、モニタ（家庭用テレビを含む）の他、スピーカを用いてもよく、また、入力部としては、キーボード、マウス、およびマイク等を用いてもよい。
【００６２】
また、図１において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、周辺マップ作成部１０２ａ、行動予測部１０２ｂ、行動指示情報伝達部１０２ｃ、パラメータ学習部１０２ｄを備えて構成されている。
【００６３】
このうち、周辺マップ作成部１０２ａは、携帯情報端末装置２００から送信された少なくとも位置情報を有する利用者情報に基づき利用者の周辺のマップ情報を作成する周辺マップ作成手段である。
【００６４】
また、行動予測部１０２ｂは、携帯情報端末装置２００から送信された利用者の生体情報に基づきマップ情報と組み合わせて利用者の行動を予測する行動予測手段である。
【００６５】
また、行動指示情報伝達部１０２ｃは、利用者情報に基づき現在の利用者の行動を判別し、判別した上記利用者の行動と予測された行動予測情報との比較結果が異なる場合、行動予測情報に基づき行動指示情報を携帯情報端末装置２００に送信する行動指示情報伝達手段である。以上で本行動指示情報管理装置１００の構成の説明を終える。
［１−２．携帯情報端末装置２００の構成］
図１において、携帯情報端末装置２００は、ネットワーク３００を介して、行動指示情報管理装置１００と相互に接続され、利用者情報測定部２１０や生体情報測定部２１１を備えて構成され、利用者の利用者情報や生体情報を行動指示情報管理装置１００に送信する機能を有する。
【００６６】
ここで、携帯情報端末装置２００は、携帯電話やＰＤＡ（Ｐｅｒｓｏｎａｌ  Ｄｉｇｉｔａｌ  Ａｓｓｉｓｔａｎｔ）等として構成していてもよく、そのハードウェア構成は、一般に市販されるワークステーション、パーソナルコンピュータ等の情報処理装置およびその付属装置により構成していてもよい。また、携帯情報端末装置２００の各機能は、携帯情報端末装置２００のハードウェア構成中のＣＰＵ、ディスク装置、メモリ装置、入力装置、出力装置、通信制御装置等およびそれらを制御するプログラム等により実現される。
【００６７】
図１において携帯情報端末装置２００は、概略的に、携帯情報端末装置２００の全体を統括的に制御するＣＰＵ等の制御部２０２、通信回線等に接続されるルータ等の通信装置（図示せず）に接続される通信制御インターフェース部２０４、利用者情報測定部２１０、生体情報測定部２１１、入力部２１２、表示部２１３、および音声出力部２１４に接続される入出力制御インターフェース部２０８、および、各種のデータベースやテーブルなどを格納する記憶部２０６を備えて構成されており、これら各部は任意の通信路を介して通信可能に接続されている。さらに、この携帯情報端末装置２００は、ルータ等の通信装置および専用線等の有線または無線の通信回線を介して、ネットワーク３００に通信可能に接続されている。
【００６８】
記憶部２０６に格納される各種のデータベースやテーブル（利用者情報データベース２０６ａおよび生体情報データベース２０６ｂ）は、固定ディスク装置等のストレージ手段であり、各種処理に用いる各種のプログラムやテーブルやファイルやデータベース等を格納する。
【００６９】
これら記憶部２０６の各構成要素のうち、利用者情報データベース２０６ａは、利用者情報測定部２１０を制御して利用者の少なくとも位置情報を有する利用者情報を収集して記憶する利用者情報記憶手段である。
【００７０】
また、生体情報データベース２０６ｂは、生体情報測定部２１１を制御して利用者の生体情報を収集する、および／または、利用者の操作により入力部２１２を介して入力された生体情報を収集して記憶する生体情報記憶手段である。
【００７１】
また、図１において、通信制御インターフェース部２０４は、携帯情報端末装置２００とネットワーク３００（またはルータ等の通信装置）との間における通信制御を行う。すなわち、通信制御インターフェース部２０４は、他の端末と通信回線を介してデータを通信する機能を有する。
【００７２】
また、図１において、入出力制御インターフェース部２０８は、利用者情報測定部２１０、生体情報測定部２１１、入力部２１２、表示部２１３、および音声出力部２１４の制御を行う。ここで、利用者情報測定部２１０としては、３軸加速度センサ、または、グローバル・ポジショニング・システム（ＧＰＳ）システム等を用いることができる。また、生体情報測定部２１１としては、脈拍センサ、万歩計（登録商標）、体温計、血圧計、乳酸値測定計、体重計、および体脂肪測定計のうちの少なくとも１つを用いることができる。また、入力部２１２としては、キーボードおよびマイク等を用いることができる。また表示部２１３としては、ディスプレイ等を用いることができる。また音声出力部２１４としては、スピーカ等を用いることができる。
【００７３】
また、図１において、制御部２０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部２０２は、機能概念的に、利用者情報伝達部２０２ａ、生体情報伝達部２０２ｂ、行動指示部２０２ｃを備えて構成されている。
【００７４】
このうち、利用者情報伝達部２０２ａは、利用者情報測定部２１０を制御して利用者の少なくとも位置情報を有する利用者情報を収集して、行動指示情報管理装置１００に送信する利用者情報伝達手段である。
【００７５】
また、生体情報伝達部２０２ｂ、生体情報測定部２１１を制御して利用者の生体情報を収集する、および／または、利用者の操作により入力部２１２を介して入力された生体情報を収集して、行動指示情報管理装置１００に送信する生体情報伝達手段である。
【００７６】
また、行動指示部２０２ｃは、行動指示情報管理装置１００から送信された行動予測情報に基づいた行動指示情報に従って当該行動指示情報の内容を行動指示情報管理装置にて作成されたマップ情報とともに、表示部２１３に表示して伝達する、および／または、音声出力部２１４を介して音声によって伝達することにより、利用者に対し行動を指示する行動指示手段である。図９は、行動指示情報に従って利用者に対し行動を指示する表示の一例を示す図である。図９に示すように、行動指示部２０２ｃは、利用者の携帯する携帯情報端末装置２００の待ち受け画面に、利用者周辺に存在するエレベーターと階段を表示するマップ情報とともに、利用者の利用者情報と生体情報とに基づいて行動を予測し、階段を使うよう推奨ルートを行動指示情報管理装置１００から指示している。例えば、図９に示すように、表示画面上に「階段を使いなさい！余命が１０分縮みます」といったメッセージを表示部２１３に表示してもよく、音声出力部２１４を介して音声によりメッセージを伝達してもよい。以上で本携帯情報端末装置２００の構成の説明を終える。
【００７７】
これにて、本行動指示情報管理システムの構成の説明を終える。
［２．行動指示情報管理システムの処理］
次に、このように構成された本実施の形態における行動指示情報管理システムにおける処理の一例について、以下に図２〜図９を参照して詳細に説明する。
【００７８】
以下、本発明の実施の形態について基本動作を図２を参照して説明する。図２は、本実施の形態の基本動作を示すフローチャートである。本発明の基本動作において、最初にマップ作成処理、次に行動予測処理、そして行動指示および重み付け変更処理の順で説明する。
［２−１．マップ作成処理］
最初に、本発明の基本動作のうちのマップ作成処理について説明する。まず、携帯情報端末装置２００は、利用者情報伝達部２０２ａの処理により、利用者情報測定部２１０を制御して利用者の少なくとも位置情報を有する利用者情報を収集して行動指示情報管理装置１００に送信する。次に、行動指示情報管理装置１００は、制御部１０２の処理により、利用者情報が送信された現在時間と利用者の現在位置を認識する（ステップＳＡ−１）。ここで、利用者情報測定部２１０は、３軸加速度センサ、または、グローバル・ポジショニング・システム（ＧＰＳ）システムであってもよい。
【００７９】
そして、行動指示情報管理装置１００は、制御部１０２の処理により、記憶部１０６の行動予測情報データベース１０６ｂを参照し、例えば、図７および図８に示すような行動予測情報に基づいて、過去の行動パターンと一致する時間と場所か否かを判断する（ステップＳＡ−２）。
【００８０】
そして、行動指示情報管理装置１００の制御部１０２の処理により、過去の行動パターンと一致する時間と場所でないと判断された場合（ステップＳＡ−２：Ｎｏ）、行動指示情報管理装置１００は、制御部１０２の処理により、記憶部１０６のマップ情報データベース１０６ａを参照し、例えば、図３および図４に示すようなマップ情報に基づいて、マップがあるか否かを判断する（ステップＳＡ−３）。
【００８１】
そして、行動指示情報管理装置１００の制御部１０２の処理により、マップが存在しないと判断された場合（ステップＳＡ−３：Ｎｏ）、行動指示情報管理装置１００は、周辺マップ作成手段１０２ａの処理により、携帯情報端末装置２００から送信された少なくとも位置情報を有する利用者情報に基づき利用者の周辺のマップ情報を作成する（ステップＳＡ−４）。続いて、ステップＳＡ−３の処理に戻り、行動指示情報管理装置１００の制御部１０２の処理により、マップが存在すると判断された場合（ステップＳＡ−３：Ｙｅｓ）、行動予測処理であるステップＳＡ−５の処理に進む。なお、ステップＳＡ−２にて、行動指示情報管理装置１００の制御部１０２の処理により、過去の行動パターンと一致する時間と場所であると判断された場合（ステップＳＡ−２：Ｙｅｓ）は、マップ作成処理を省略し、行動予測処理である直接ステップＳＡ−５の処理に進む。以上でマップ作成処理の説明を終える。
［２−２．行動予測処理］
次に、本発明の基本動作のうちの行動予測処理について説明する。まず、携帯情報端末装置２００は、生体情報伝達部２０２ｂの処理により、生体情報測定部２１１を制御して利用者の生体情報を収集する、および／または、利用者の操作により入力部２１２を介して入力された生体情報を収集して、行動指示情報管理装置１００に送信する。そして、行動指示情報管理装置１００は、行動予測部１０２ｂの処理により、携帯情報端末装置２００から送信された利用者の生体情報に基づきマップ情報と組み合わせて、例えば、図５および図６に示すような利用者の行動を予測し、行動予測情報を作成する（ステップＳＡ−５）。ここで、生体情報測定部２１１は、例えば、図７〜図８に示すような測定データを得るために、脈拍センサ、万歩計（登録商標）、体温計、血圧計、乳酸値測定計、体重計、および体脂肪測定計のうちの少なくとも１つであってもよい。
【００８２】
ここで、図５および図６は、行動予測情報に基づいて利用者の行動を予測する様子の一例を模式的に表した図であり、例えば、図５に示すように、階段とエスカレーターが同一方向にある場合に、３軸加速度データ等からだけでは、利用者がどちらを選択するか予測が困難である状況において、図６では、利用者情報（例えば、３軸加速度データ、歩行速度、過去の行動パターン等）と健康データである生体情報（例えば、乳酸値、体重、体重または体脂肪の変化率、および脈拍データ等）に基づいて、利用者の健康状態を判断した上で、利用者が進行の同一方向にあるエスカレーターか、または階段のどちらを選択するかという行動を予測する様子を模式的に表している。
【００８３】
そして、行動指示情報管理装置１００は、行動予測部１０２ｂの処理により、記憶部１０６の行動予測情報データベース１０６ｂを参照し、例えば、図７および図８に示すような行動予測パラメータに基づいて点数を算出して、判定がプラスか否かを判断することにより、利用者の行動予測を完了する（ステップＳＡ−６）。なおここで、ステップＳＡ−６にて、図７に示すように、判定がプラスであり利用者が階段を使うと予測された場合（ステップＳＡ−６：Ｙｅｓ）、階段に進んだ場合の行動指示および重み付け変更処理であるステップＳＡ−７に進む。一方、ステップＳＡ−６にて、図８に示すように、判定がマイナスであり利用者がエレベーターを使うと予測された場合（ステップＳＡ−６：Ｎｏ）、エレベーターに進んだ場合の行動指示および重み付け変更処理であるステップＳＡ−８に進む。以上で行動予測処理の説明を終える。
［２−３．行動指示および重み付け変更処理］
最後に、本発明の基本動作のうちの行動指示および重み付け変更処理について説明する。まず、ステップＳＡ−６にて、図７に示すように、判定がプラスであり利用者が階段を使うと予測された場合（ステップＳＡ−６：Ｙｅｓ）、携帯情報端末装置２００は、制御部２０２の処理により、利用者情報測定部２１０を制御して、現在の利用者の行動を判定する（ステップＳＡ−７）。
【００８４】
ステップＳＡ−７にて判定された結果が、ステップＳＡ−５およびステップＳＡ−６にて予測された結果と異なる場合、すなわち、階段にいかなかった場合（ステップＳＡ−７：Ｎｏ）、行動指示情報管理装置１００は、行動指示情報伝達部１０２ｃの処理により、利用者情報に基づき現在の利用者の行動を判別し、判別した上記利用者の行動と行動予測部１０２ｃによって予測された行動予測情報との比較結果が異なる場合、行動予測情報に基づき行動指示情報を携帯情報端末装置２００に送信する（ステップＳＡ−９）。また同時に、行動指示情報管理装置１００は、パラメータ変更部１０２ｄの処理により、利用者毎に個別に設定される行動予測パラメータの重み付けを学習し、記憶部１０６ｂの行動予測情報データベース１０６ｂ内の行動予測パラメータの重み付けを変更する（ステップＳＡ−９）。そして、携帯情報端末装置２００は、行動指示部２０２ｃの処理により、行動指示情報管理装置１００から送信された行動予測情報に基づいた行動指示情報に従って、図９に示すように、当該行動指示情報の内容を行動指示情報管理装置にて作成されたマップ情報とともに、表示部２１３に表示して伝達する、および／または、音声出力部２１４を介して音声によって伝達することにより、利用者に対し行動を指示する。
【００８５】
ここで、ステップＳＡ−７にて判定された結果が、ステップＳＡ−５および６にて予測された結果と同じ場合、すなわち、階段にいった場合（ステップＳＡ−７：Ｙｅｓ）は、行動指示および重み付け変更処理を行わず、処理を終了する。
【００８６】
なお、ステップＳＡ−６にて、図８に示すように、判定がマイナスであり利用者がエレベーターを使うと予測された場合（ステップＳＡ−６：Ｎｏ）、携帯情報端末装置２００は、制御部２０２の処理により、利用者情報測定部２１０を制御して、現在の利用者の行動を判定する（ステップＳＡ−８）。ステップＳＡ−８以降の処理は、ステップＳＡ−６の判定により、ステップＳＡ−７に進んだ場合と同様の処理を行うので、省略する。以上で、行動指示および重み付け変更処理の説明を終える。
【００８７】
これにて、本行動指示情報管理システムの処理の基本動作の説明を終える。
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００８８】
例えば、携帯情報端末装置２００の生体情報測定部２１１を、携帯情報端末装置２００内に内蔵する形態で処理を行う場合を一例に説明したが、携帯情報端末装置２００は別筐体で構成される生体情報測定装置として構成してもよく、当該生体情報測定装置から赤外線通信等を介して携帯情報端末装置２００に測定データを伝送する構成に構成してもよい。
【００８９】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００９０】
この他、上記文献中や図面中で示した処理手順、制御手順、具体的名称、各処理の登録データや検索条件等のパラメータを含む情報、画面例、データベース構成については、特記する場合を除いて任意に変更することができる。
【００９１】
また、行動指示情報管理装置１００および携帯情報端末装置２００に関して、図示の各構成要素は機能概略的なものであり、必ずしも物理的に図示の如く構成されていることを要しない。
【００９２】
例えば、行動指示情報管理装置１００および携帯情報端末装置２００の各装置が備える処理機能、特に制御部１０２および制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。なお、プログラムは、後述する記録媒体に記録されており、必要に応じて行動指示情報管理装置１００および携帯情報端末装置２００に機械的に読み取られる。すなわち、ＲＯＭまたはＨＤなどの記憶部１０６および記憶部２０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００９３】
また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００９４】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読みとるための具体的な構成、読み取り手順、あるいは、読み取り後のインストール手順等については、周知の構成や手順を用いることができる。
【００９５】
記憶部１０６および記憶部２０６に格納される各種のデータベース等（マップ情報データベース１０６ａ、行動予測情報データベース１０６ｂ、利用者情報データベース２０６ａ、および生体情報データベース２０６ｂ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【００９６】
また、行動指示情報管理装置１００および携帯情報端末装置２００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【００９７】
さらに、装置の分散・統合の具体的形態は図示するものに限られず、その全部または一部を、各種の付加等に応じた任意の単位で、機能的または物理的に分散・統合して構成することができる。
【産業上の利用可能性】
【００９８】
以上詳述に説明したように、本発明によれば、装置の操作を容易にし、装置の小型化およびコストダウンを実現でき、利用者の健康状態および利用者の現在位置や移動速度等をリアルタイムに把握でき、同一方向に行動対象物があっても、利用者の健康状態に応じた健康促進のためにとるべき行動をリアルタイムに利用者に指示できる、行動指示情報管理装置、携帯情報端末装置、行動指示情報管理システム、行動指示情報管理方法、行動指示方法、およびプログラムを提供することができるので、情報通信分野や健康管理サービス分野等において利用可能である。
【図面の簡単な説明】
【００９９】
【図１】本発明が適用される本行動指示情報管理システムの論理構成図
【図２】本発明が適用される本行動指示情報管理システムの基本動作の処理を示すフローチャート
【図３】本発明のマップ情報の一例を示す図
【図４】本発明のマップ情報の一例を示す図
【図５】本発明の行動予測情報に基づいた行動予測の一例を示す図
【図６】本発明の行動予測情報に基づいた行動予測の一例を示す図
【図７】本発明の行動予測パラメータを含む行動予測情報の一例を示す図動予測パラメータを含む行動予測情報の一例を示す図
【図８】本発明の行動予測パラメータを含む行動予測情報の一例を示す図動予測パラメータを含む行動予測情報の一例を示す図
【図９】本発明の行動指示結果の一例を示す図
【符号の説明】
【０１００】
１００    行動指示情報管理装置
１０２    制御部
１０２ａ    周辺マップ作成部
１０２ｂ    行動予測部
１０２ｃ    行動指示情報伝達部
１０２ｄ    パラメータ学習部
１０４    通信制御インターフェース部
１０６    記憶部
１０６ａ    マップ情報データベース
１０６ｂ    行動予測情報データベース
２００    携帯情報端末装置
２０２    制御部
２０２ａ    利用者情報伝達部
２０２ｂ    生体情報伝達部
２０２ｃ    行動指示部
２０４    通信制御インターフェース部
２０６    記憶部
２０６ａ    利用者情報データベース
２０６ｂ    生体情報データベース
２０８    入出力制御インターフェース部
２１０    利用者情報測定部
２１１    生体情報測定部
２１２    入力部
２１３    表示部
２１４    音声出力部
３００    ネットワーク
【図１】
2009093322.tif 000003
【図２】
2009093322.tif 000004
【図３】
2009093322.tif 000005
【図４】
2009093322.tif 000006
【図５】
2009093322.tif 000007
【図６】
2009093322.tif 000008
【図７】
2009093322.tif 000009
【図８】
2009093322.tif 000010
【図９】
2009093322.tif 000011